(57)【要約】【課題】ガスメータが従来から備える機能を利用して、専用の機器を必要とすることなくデータのコピーを確実かつ容易に実行できるようにする。【解決手段】既設メータと新設メータとを専用ケーブルを用いて接続した状態で、既設メータがメータ発呼を行う。新設メータは、Ｎラインで発呼信号を受信すると（Ｓ１１）、Ｈラインの確認を行なう（Ｓ１２）。ＮラインとともにＨラインにも同時に発呼信号を受信していれば、発呼に対する応答は行なわず、コピーしたいデータを既設メータに要求する（Ｓ１３）。新設メータでは、要求したデータの応答を受信すると（Ｓ１４）、最終データであるか判定し（Ｓ１５）、最終データであれば、受信したデータが正常かどうかを確認する（Ｓ１６）。そして、新設メータは、データが正常であれば、自身に設定されたデータを上書きして（Ｓ１７）、処理を終了する。【選択図】図７
2010008065.tif 000002
【特許請求の範囲】
【請求項１】
流体の通過量を計測する計測手段と、該計測手段による計測値に基づいて積算された流体の流量積算値を表示する積算値表示手段とを備えたガスメータであって、
外部機器を接続して該外部機器との間で信号授受を行う通信手段と、
該通信手段に入力された信号を解析する通信信号解析手段とを有し、
該ガスメータは、前記通信信号解析手段が、前記通信手段に対して同一信号源から同時に複数の信号が入力されたものと判断した場合、前記通信手段を介して接続された外部機器から、コピーすべき所定のデータを読み出して前記ガスメータにコピーすることを特徴とする、ガスメータ。
【請求項２】
前記通信信号解析手段は、同一信号源からの複数の信号の入力を、所定の複数回連続して検出したときに、同一信号源から同時に複数の信号が入力されたものと判断することを特徴とする、請求項１に記載のガスメータ。
【発明の詳細な説明】
【技術分野】
【０００１】
本発明は、ガスメータに関し、より具体的には、マイコンを搭載して通信機能を有するガスメータに関する。
【背景技術】
【０００２】
マイコンを搭載して通信機能を備えた流量計としてガスメータがある。ガスメータは法律で使用期間が定められており、ガスメータが使用期間に達した場合には交換する必要がある。法律で定められたガスメータの使用可能期間は１０年間である。
【０００３】
ガスメータを交換する場合、これまで使用していたガスメータとこれから使用するガスメータとを同一の内容で運用するために、これまで使用していたガスメータが保持している設定データ等のデータを専用の外部通信機器等を用いて読み出し、これから使用するガスメータに対してコピーする。これらデータとしては、ガスメータが備える各機能を実行するために使用される各種の設定データ、積算値データ、遮断履歴やメータ番号などのユーティリティデータといった、ガスメータが保持するデータ全般を指す。
【０００４】
従来、ガスメータを交換する際には、専用の外部通信機器等を準備し、取り付け・取り外しを行う必要があり、また専用の外部通信機器等で同一の設定を行う場合、作業者の操作ミス等により、設定するデータの漏れや入力間違い等が発生する恐れがある。この場合、これから使用するガスメータでは、これまで使用していたものと同一の動作を行うことができなくなるという問題が発生する。
また交換すべきガスメータから専用の外部通信機器等でデータを読み出し、新たなメータにコピーする場合、通信時間や交換作業に多大な時間を費やさなくてはならない。
【０００５】
このような問題に対して、例えば特許文献１には、新設するガスメータに間違った設定をしてしまうことを防止するために、既設ガスメータの設定データを新設ガスメータに移植できるようにしたガスメータ用設定データ移植器が開示されている。
このガスメータ用設定データ移植器を既設ガスメータに接続して、当該移植器の操作ボタンを押すと、既設ガスメータの設定データの一括読み込み動作が行われ、移植器の記憶手段（ＲＡＭ）内に保持される。そしてガスメータ用設定データ移植器を新設ガスメータに接続して、操作ボタンを押すと、記憶手段内の設定データが一括して新設ガスメータに書き込まれる。
【０００６】
特許文献１の移植器では、通常動作状態において操作ボタンが操作され、記憶手段にガスメータの設定データが記憶保持されていない場合には、ガスメータから設定データを読み込む動作を行い、読み込まれた設定データを記憶手段に記憶保持する。記憶手段に設定データが既に記憶保持されている場合には、その設定データをガスメータに向けて転送して、そこに設定する書き込み動作を行う。これによりガスメータに間違った設定をしてしまうことを防止している。
【０００７】
また、特許文献２では、新設ガスメータと既設ガスメータとを直接接続し、新設ガスメータの入力手段に特定の作業を行うことにより、新設ガスメータから既設ガスメータに設定データを読みに行くようにした技術が開示されている。
【特許文献１】特開２００６−３３０８８２号公報
【特許文献２】特開２００７−３３３３０５号公報
【発明の開示】
【発明が解決しようとする課題】
【０００８】
上述したように、ガスメータの交換を行う際に専用の外部通信機器等で同一の設定を行う場合、作業者の操作ミス等により、設定するデータの漏れや入力間違い等が発生すると、新設のガスメータではこれまで使用していたものと同一の動作を行うことができなくなるという課題がある。また、交換すべきガスメータから専用の外部通信機器等でデータを読み出し、新たなガスメータにコピーする場合、通信時間や交換作業に多大な時間を費やさなくてはならないとう問題が生じる。
【０００９】
また、特許文献１では、メータ設定値をコピーする専用器具が必要となり、ガス事業者にとってコスト負担が大きなものとなる。また、専用器具を忘れたり、電池切れの場合には目的が果たせなくなる、というような状況が想定される。
【００１０】
また、特許文献２では、本来遮断弁を復帰させるための入力手段に特定操作をすることにより、設定値コピーを開始することになるが、特定操作によるメータ動作が各メーカ毎に違うことがあるため、ガス事業者にとって、分かりやすい方法とは言えない。
【００１１】
既設のガスメータを交換する時期は、既設のガスメータの設置から１０年後であるため、交換されるガスメータは１０年前のガスメータということになる。１０年前のガスメータには、設定データをコピーする機能は搭載されていないため、新設のガスメータは、既設のガスメータに設定値を読みにいく、という動作を行う必要がある。
【００１２】
新設のガスメータに特定の動作をさせることは、上述したとおり、ガス事業者に戸惑いを生じさせる可能性があるため、既設のガスメータ側から新設のガスメータのコピー機能を起動させることが望ましい。ここで既設のガスメータには、遮断弁を閉じたり、ガス容器の残量管理値をリセットした場合に、自ら外部機器に信号を送信する、メータ発呼という機能が保有されている。ガスメータの交換時にその発呼信号を既設メータから新設メータに入力させることにより、コピー機能を起動させるようにすることも考えられるが、新設メータにとって、送られてきた信号が通常の通信によるものか、コピー機能を起動させるものかの判別がつかないという問題が生じる。
【００１３】
本発明は 上述のごとき実情に鑑みてなされたものであり、ガスメータが従来から備える機能を利用して、専用の機器を必要とすることなくデータのコピーを確実かつ容易に実行することができるようにしたガスメータを提供することを目的とするものである。
【課題を解決するための手段】
【００１４】
請求項１の発明は、流体の通過量を計測する計測手段と、計測手段による計測値に基づいて積算された流体の流量積算値を表示する積算値表示手段とを備えたガスメータであって、外部機器を接続して外部機器との間で信号授受を行う通信手段と、通信手段に入力された信号を解析する通信信号解析手段とを有し、ガスメータは、通信信号解析手段が、通信手段に対して同一信号源から同時に複数の信号が入力されたものと判断した場合、通信手段を介して接続された外部機器から、コピーすべき所定のデータを読み出してガスメータにコピーすることを特徴としたものである。
【００１５】
請求項２の発明は、請求項１の発明において、通信信号解析手段は、同一信号源からの複数の信号の入力を、所定の複数回連続して検出したときに、同一信号源から同時に複数の信号が入力されたものと判断することを特徴としたものである。
【発明の効果】
【００１６】
本発明によれば、ガスメータが従来から備える機能を利用して、専用の機器を必要とすることなくデータのコピーを確実かつ容易に実行することができるようにした流量計を提供することができる。
【００１７】
さらに本発明では、新設のガスメータと専用ケーブルで接続した既設のガスメータから、複数の信号が同時に入力したものと判断したときに、新設のガスメータでコピー機能を起動することにより、既設のガスメータからコピーすべきデータを読み出すことができる。そしてこれにより、ガス事業者にとって分かりやすく安価なデータコピー機能を備えたガスメータを提供することができる。
【００１８】
さらに本発明では、複数の信号が同時に入力したこと所定の複数回検出した場合に、コピー機能を起動させるようにすることにより、通常の通信機能を妨げることがなく、データのコピーを実行することができるようになる。
【発明を実施するための最良の形態】
【００１９】
図１は、本発明に係るガスメータの一実施形態を説明するためのブロック図である。ガスメータ１０には、ガス流量を計測するための計測手段３と、ガスメータ各部の制御や演算処理を行う制御部１と、データや情報を表示する表示手段２とを備えている。計測手段３は、例えば、ガス流量に応じた回転数や流体振動を出力する計量部と、ガス流量等に関する物理量を検出するセンサ部とを備える。制御部１では、取り込まれたセンサ部の信号を演算処理し、表示手段２に出力したり、外部装置との接続を行う通信手段を介して外部に出力したりする。また、制御部１では、流量センサからの流量検出値に基づいてガス流量を計測して積算する処理を行う。表示手段２は、制御部１により処理されたデータを表示するもので、ガスメータに備えられているＬＥＤ（Light Emitting Diode）やＬＣＤ（Liquid Crystal Display）が適用される。表示手段２は、ガスの流量積算値を表示する積算値表示手段でもある。
【００２０】
また、ガスメータ１０は、通信手段として、少なくともＮライン通信を行う第１通信手段４と、Ｈライン通信を行う第２通信手段５とを備え、さらにこれら通信手段４，５に入力する通信信号を解析し、制御部１に送る通信信号解析手段６を備えている。
一般に、ガスメータとして、マイコンで制御される所謂マイコンメータが使用されている。このマイコンメータには、その流量計測値（積算値，瞬時値）のデータ、ガス遮断や各種警報に関する履歴情報のデータ、ガスメータにおいて各種設定値を設定するためのデータなどを、通信によりやりとりする外部機器７が接続可能となっている。また、これらのデータは、電文によりデータ通信される。
【００２１】
そして、このデータ通信に関しては、日本ガスメーター工業会においてマイコンメータの接続端子及びその通信電文のフォーマットが統一規格として定められている。マイコンメータとしては、液化石油ガス用マイコン型流量検知式自動ガス遮断装置（II型），液化石油ガス用マイコン型流量検知式自動ガス遮断装置（Ｌ型），液化石油ガス用マイコン型流量検知式自動ガス遮断装置（Ｃ型），液化石油ガス用マイコン型流量検知式自動ガス遮断装置（Ｂ型），液化石油ガス用マイコン型流量検知式自動ガス遮断装置（Ｓ型），液化石油ガス用マイコン型流量検知式自動ガス遮断装置（ＳＢ型）の各型の保安ガスメータがある。
【００２２】
このうち、例えばＳ型であれば、この規格では６種類の接続端子を保有するものとなっている。６種類の接続端子は、いずれも外部機器に接続する端子であり、ガス漏れ警報器等の警報器に接続する端子（Ａ端子）、第２のガス漏れ警報器，ＣＯ警報器等の外部機器に接続する第１の端子（Ｂ１端子）、自動切替調整器，自己診断調整器等の外部機器に接続する第２の端子（Ｂ２端子）、網制御装置（ＮＣＵ）に接続しＮライン通信を行うための端子（Ｃ端子：ＤＴ端子及びＳＧ端子）、弁開閉信号の入力及び弁開閉通信を行う端子（Ｄ端子）、及び共通線を接続する端子（Ｅ端子：ＦＧ端子）よりなる。ここで、Ｄ端子は、例えば宅内操作器におけるスイッチ信号を入力すること、及びＨライン通信を行うことが可能となっており、弁開閉信号を入力する端子、及び共通端子（Ｃｏｍｍｏｎ端子）により構成される。
【００２３】
Ｓ型のマイコンメータに限らず、上述したII，Ｌ，Ｃ，Ｂ，ＳＢの各型のマイコンメータは、接続端子にＮライン通信を行う端子が具備されており、また、Ｓ型，ＳＢ型のマイコンメータは、接続端子にＨライン通信を行う端子が具備されている。なお、Ｎラインとは、メータのＤＴ，ＳＧ端子に「Ｎｅｔｗｏｒｋ Ｃｏｎｔｒｏｌ Ｕｎｉｔ」を接続することから、Ｈラインとは、メータの弁開閉端子のＤ，ＦＧ端子に「Ｈｏｍｅ Ｃｏｎｔｒｏｌｌｅｒ」を接続することから、それぞれ命名されている。そして、Ｎライン通信端子には、ＮＣＵが接続されることでガスメータとガス検針センタとを電話回線で接続し、或いは、設定器が接続されることでガスメータ内のマイクロコンピュータの制御に係わる設定を行う。一方、Ｈライン通信端子には、宅内操作器が接続されることで宅内から遮断弁の開閉操作を行う。
通常のマイコンメータにおいて、Ｎライン通信とＨライン通信とは、それぞれ別のポートで行われる。
【００２４】
図２は、図１に示す構成のガスメータの端子部を示す図である。上記のようにガスメータはＮライン、Ｈラインの２本の通信ラインを保有している。第１通信手段のＮライン通信を行うための端子４１は、ＤＴ端子及びＳＧ端子（Ｃ端子）を備えている。また、第２通信手段５のＨライン通信を行うための端子５１は、弁開閉信号を入力する端子、及び共通端子（Ｃ（Common）端子）により構成される。
【００２５】
上記のようなガスメータ１０では、通常は、Ｎラインにより外部機器と通信を行なっている。また、ガスメータ１０は、発呼を行なった場合に外部機器からの応答が期待どおりでなくても、要求された応答を行なうことになっている。
【００２６】
図３は、本発明のガスメータによるデータのコピー処理時の状態を説明するための図で、図中、１０はガスメータ、１１はリセットスイッチ、１２は専用ケーブルである。
本実施形態に係るガスメータ１０は、ガスメータを新しく更新する際に、これまで使用され交換されるガスメータと、交換後に使用する新しいガスメータとを専用ケーブル１２を用いて互いに接続する。説明のためにここでは、これまで使用され交換されるガスメータ１０を既設メータとし、交換後に使用される新しいガスメータ１０を新メータとする。
【００２７】
この場合、図４に示すように、既設メータのＮライン通信のための端子４１と、新設メータのＮライン通信のための端子４１及びＨライン通信ための端子５１とを専用ケーブル１２で接続する。あるいは、既設メータと新設メータをＮラインで接続した上で、新設ガスメータのＮラインとＨラインとをショートさせてもよい。ＮラインとＨラインとがショートした状態で既設メータを発呼させれば、新設メータのＮラインとＨラインに同時に同じ信号が入力される。この場合、新設メータには、同一信号源からの信号が同時に入力されるため、ＯＮ幅、ＯＦＦ幅ともに全く同一となる。
【００２８】
そして本発明に係る実施形態では、既設メータからメータ発呼を行うことにより、新設メータでデータのコピーモードを起動するように制御される。
メータ発呼とは、例えばＳ型保安ガスメータの共通型通信機能の１つで、ガスメータは、ガスメータの通信端子から外部機器に対して所定の電圧を出力する。これが発呼信号となる。そしてガスメータは、規定時間経過した後、上記所定の電圧（発呼信号）の出力を停止する。外部機器からの応答がない場合には、発呼信号を再度送信するリトライ機能も備えられる。
【００２９】
メータ発呼による発呼手段の例としては、メータが従来から備えているリセットスイッチや、テスト遮断スイッチ、あるいは復帰ボタンを使用することができる。ガスメータには、ガス容器の残量管理カウンタをリセットするためのリセットスイッチ、ガス流路を遮断する遮断弁をテスト的に動作させるためテスト遮断スイッチ、及びガス流路を遮断した遮断弁を復帰させるための復帰ボタン（遮断弁開スイッチ）などが設けられている。そして、通常は、これらのボタンやスイッチが操作されたとき（例えばマグネットを近づける等の操作が行われたとき）に、上記のようなメータ発呼を行うように設定されている。
【００３０】
既設メータからメータ発呼が行われると、新設メータの通信信号解析手段６は、ＮラインとＨラインに同時に同じ信号が入力されたものと判断するとコピーモードを起動し、Ｎラインにより既設メータから、コピーすべきデータを読み出して自身のガスメータ（新設メータ）に設定する処理を行う。この動作のフローの一例を図５に示す。
【００３１】
図５のフローでは、既設メータと新設メータとを専用ケーブル１２を用いて接続した状態で、例えば既設メータのリセットスイッチ１１を動作させることにより、既設メータがメータ発呼を行う（ステップＳ１）。これに対して新設メータでは、既設メータから新設メータにコピーすべき第１データを要求し（ステップＳ２）、既設メータはこれに対して第１データを応答として返信する（ステップＳ３）。そして新設メータはコピーすべき第２データを要求する（ステップＳ４）。このような動作を必要に応じて繰り返し、コピーすべき最終データの応答が既設メータから新設メータに返信されると（ステップＳ５）、処理を終了する。
【００３２】
既設メータから新設メータにコピーするデータは、例えばガスメータの更新時にコピーすべきデータとして定められた所定のデータであって、複数の機能を有するガスメータにおいて各機能を実行するために使用される各種の設定データ、積算値データ、遮断履歴やメータ番号などのユーティリティデータといった、ガスメータが保有するデータ全般が該当する。
【００３３】
図６は、データのコピーを行うときの新設メータの処理例を説明するためのフローチャートである。ここでは、上記と同様に、既設メータと新設メータとを専用ケーブル１２を用いて接続した状態で、例えば既設メータのリセットスイッチ１１を動作させることにより、既設メータがメータ発呼を行ったものとする。
ここで新設メータは、Ｎラインで発呼信号を受信すると（ステップＳ１１）、Ｈラインの確認を行ない、Ｈラインにも発呼があるかどうかを判断する（ステップＳ１２）。ここでＮラインとともにＨラインにも同時に発呼信号を受信していれば、発呼に対する応答は行なわず、既設メータから新設メータにコピーしたいデータを既設メータに要求する（ステップＳ１３）。
【００３４】
次いで新設メータでは、要求したデータの応答を既設メータから受信すると（ステップＳ１４）、そのデータがコピーすべき最終データであるか判定し（ステップＳ１５）、そのデータが最終データでなければ、データ要求を行ってデータを取得する処理を繰り返す。また、既設メータから送信されたデータが最終データであれば、新設メータはデータ要求を停止し、受信したデータが正常かどうかの確認を行なう（ステップＳ１６）。そして、新設メータは、受信したデータが正常であれば、自身に設定されたデータを上書きして（ステップＳ１７）、処理を終了する。また、受信したデータが正常でなければ、自身に設定されたデータを上書きすることなく、処理を終了する。
【００３５】
また、ステップＳ１１でＮラインに発呼信号を受信し、ステップＳ１２でＨラインの発呼を判断した結果、Ｈラインで発呼信号を受信していなければ、発呼に対する通常の応答を返して（ステップＳ１８）、処理を終了する。
なお、上記の例では、ＮラインとＨラインとを接続する構成により説明したが、Ｎライン通信を行うための端子と、ガス漏れ警報器と通信する端子（例えば上述のＡ端子や、Ｂ１端子）とを利用して、新設メータでこれらの端子に同時に同じ信号が入力された場合に、データのコピーモードを起動するようにしてもよい。
【００３６】
図７は、データのコピーを行うときの新設メータと既設メータの他の処理例を説明するためのフローチャートである。
既設メータからの発呼信号に基づいてコピー機能を起動させる構成で、コピー機能を起動させずに通常の通信機能を起動させる場合でも、ノイズ等によりコピー機能が意図せずに偶然に起動してしまうことが生じかねない。そこで、本例では、新設メータは、コピー機能を起動させるために同時に入力される発呼信号を、所定の複数回数（例えば３回）連続して検出したときに、同一信号源から同時に複数の信号が入力されたものと判断し、コピー機能を起動して、既設メータからコピーすべきデータを読み出す処理を行う。
【００３７】
既設メータと新設メータとを専用ケーブル１２で上記のごとく接続し、既設メータからメータ発呼を行ったときに、新設メータから期待どおりの応答が返信されない場合、もしくは何の応答もない場合、既設メータは、複数回発呼のリトライを実施する。そこで、本例の動作では、新設メータの通信信号解析手段６では、リトライを待ってノイズか否かの判定を行うようにする。
【００３８】
図７に示すように、既設メータと新設メータとを専用ケーブル１２を用いて接続した状態で、例えば既設メータのリセットスイッチ１１を動作させることにより、既設メータがメータ発呼を行う（ステップＳ２１）。これに対して新設メータでは、ＮラインとＨラインとに同時に同じ信号が入力されても、ノイズか否かの判定を行うため、データ要求を送信することなく、次のリトライを待つ。そして、既設メータでは、ステップＳ２１のメータ発呼に対する応答がないため、再度発呼をリトライする（ステップＳ２２）。これに対しても、新設メータでは応答することなく、３回目のリトライを待つ。
【００３９】
既設メータから３回目の発呼のリトライが送信されると（ステップＳ２３）、新設メータの通信信号解析手段６では、３回とも同時に同じ信号がＮラインとＨラインとに入力されたかどうかを判定し、同じ信号であると判定した場合にはデータのコピーモードを起動する。
コピーモードでは、上記図５と同様の動作が行われる。つまり既設メータから新設メータにコピーすべき第１データを要求し（ステップＳ２４）、既設メータはこれに対して第１データを応答として返信する（ステップＳ２５）。このような動作を必要に応じて繰り返し、コピーすべき最終データの応答が既設メータから新設メータに返信されると（ステップＳ２６）、処理を終了する。
【００４０】
次に、ガスメータが備える各種の機能と、その機能を実行するために設定されるデータについてその具体例を説明する。上記のように、メータ間でコピーするデータとしてはメータが備える各種機能を実行するための設定データ、積算値データ、遮断履歴やメータ番号などのユーティリティデータといった、ガスメータが保有するデータ全般が該当する。
【００４１】
メータが備える機能の例としては、例えば、所定のアラームを発するためのアラーム機能や検針データを記憶するための検針データ記憶機能、などがある。
また上記のアラーム機能には、残量管理機能、合計流量遮断機能、増加流量遮断機能、使用時間遮断機能などがある。また、設定データの１つとしてメータ制御コードがある。また、その他の設定データに関する機能として、口火登録機能、流量区分別積算機能などがある。以下にこれらの具体例を説明する。
【００４２】
（残量管理機能）
残量管理機能は、リセットスイッチの作動以降のガス通過体積を残量管理カウンタ値に積算していき、予め設定されている残量管理警告レベルに達した時、警告を発する機能である。すなわち、残量管理機能における設定データは、残量管理カウンタ値および、残量管理レベルが該当する。
【００４３】
（メータ制御コード）
メータ制御コードは、ガスメータの各種動作に関わる設定を行うコードであり、それ自身が設定データに該当する。
【００４４】
（合計流量遮断機能）
合計流量遮断機能は、ガス流量が、ガス消費先の保有燃焼器具の合計消費流量（予め設定された遮断設定値）を超えて流れた場合、元栓の誤開放やゴムホースの抜け等による大量のガス漏れと判断して遮断弁を駆動しガス通路を遮断する機能である。遮断設定値は手動設定するか、または、自動設定機能により、ガス消費先のガス消費パターンを学習し、ガス消費先に合わせた遮断設定値が設定される。すなわち、合計流量遮断機能における設定データは、遮断設定値が該当する。
【００４５】
（増加流量遮断機能）
増加流量遮断機能は、ガス流量の増加が、ガス消費先の保有燃焼器具の内、最大機器の消費量（予め設定された遮断設定値）に比較して非常に大きい流量の増加であった場合、元栓の誤開放やゴムホースの抜け等による大量のガス漏れと判断して遮断弁を駆動しガス通路を遮断する機能である。遮断設定値は手動設定するか、または、自動設定機能により、ガス消費先のガス消費パターンを学習し、ガス消費先に合わせた遮断設定値が設定される。すなわち、増加流量遮断機能における設定データは、遮断設定値が該当する。
【００４６】
（使用時間遮断機能）
使用時間遮断機能は、ガス器具の使用状態が、普通ではありえないような使用状態であるとガスメータの制御手段が判断したとき、ガス器具の消し忘れ又は、器具栓の不完全閉止等によるガス漏れと判断して遮断弁を駆動しガス通路を遮断する機能である。
使用状態の判断は、流量区分毎の使用制限時間に基づき判断される。使用制限時間は手動設定するか、または、自動設定機能により、ガス消費先のガス消費パターンを学習し、ガス消費先に合わせた使用制限時間が設定される。すなわち、使用時間遮断機能における設定データは、流量区分毎の使用制限時間が該当する。
【００４７】
（口火登録機能）
口火登録機能は、ガス器具の口火流量をガスメータの記憶手段に予め記憶させる機能である。ガスメータの制御手段は、ガス器具の口火が長時間連続して使用された場合に微少漏洩と区別し、記憶手段に記憶された口火流量以外の連続したガスの流れを検知した場合のみガス漏れと判断する。すなわち、口火登録機能における設定データは、口火流量が該当する。
【００４８】
（流量区分別積算機能）
流量区分別積算機能は、予め設定されている設定値に基づき、時間毎の流量データから特定の器具の積算量を推定計測し、流量区分別積算値１〜３として記憶する機能である。
設定値としては、積算開始流量、最大流量、最小流量、標準流量、有効判定時間、停止判定時間、大型器具判定流量がある。
積算開始流量は、特定器具が使用開始されたと推定するガス使用流量の下限流量値である。最大流量は、特定器具が使用するガス使用流量の上限流量値である。最小流量は、特定器具の最小使用流量値である。標準流量は、特定器具の標準的な使用流量である。有効判定時間は、特定器具の最小使用時間である。停止判定時間は、特定器具の使用停止を判定する時間である。大型器具判定流量は、特定器具以外の大型器具判定を判定する流量値である。流量区分別積算機能における設定データとしては、積算開始流量、最大流量、最小流量、標準流量、有効判定時間、停止判定時間、大型器具判定流量、および、流量区分別積算値１〜３が該当する。
【００４９】
なお上記の例はガスメータ間でコピーするデータの例を示すものであって、コピーを行うデータはこれらに限ることなく、予め種々のデータを定めておくことができる。そして本発明に係る実施形態では、このようなデータをガスメータのメモリに記憶し、交換されるガスメータと交換後に使用するガスメータとを直接接続し、交換されるガスメータからの発呼信号に応じて、交換後に使用するガスメータでコピー機能を起動し、データを要求する信号を交換されるガスメータに送信することにより、専用の外部通信機器等を使用する必要なく、これまで使用されたガスメータが保持している所定のデータを、これから使用する新たなガスメータに直接コピーすることができるようになる。
【図面の簡単な説明】
【００５０】
【図１】本発明に係るガスメータの一実施形態を説明するためのブロック図である。
【図２】図１に示す構成のガスメータの端子部を示す図である。
【図３】本発明のガスメータによるデータのコピー処理時の状態を説明するための図である。
【図４】既設メータの端子と、新設メータの端子とを専用ケーブルで接続した状態を説明するための図である。
【図５】データのコピーを行うときの新設メータと既設メータの処理例を説明するためのフローチャートである。
【図６】データのコピーを行うときの新設メータの処理例を説明するためのフローチャートである。
【図７】データのコピーを行うときの新設メータと既設メータの他の処理例を説明するためのフローチャートである。
【符号の説明】
【００５１】
１…制御部、２…表示手段、３…計測手段、４…通信手段、５…通信手段、６…通信信号解析手段、７…外部機器、１０…ガスメータ、１１…リセットスイッチ、１２…専用ケーブル、４１…Ｎライン通信を行うための端子、５１…Ｈライン通信を行うための端子。
【図１】
2010008065.tif 000003
【図２】
2010008065.tif 000004
【図３】
2010008065.tif 000005
【図４】
2010008065.tif 000006
【図５】
2010008065.tif 000007
【図６】
2010008065.tif 000008
【図７】
2010008065.tif 000009